(57)【要約】      （修正有）【課題】利用者が建築物の内側の区画領域から建築物の外側に移動する際にエレベーターの呼びを自動で登録することができるエレベーターシステムを提供する。【解決手段】エレベーターシステムは、少なくとも１つのエレベーターが設けられた建築物の区画領域の出入口に対して当該区画領域の内側に設けられ、荷重がかかった位置を特定して圧力を検出する内側圧力検出装置７と、当該区画領域の出入口に対して当該区画領域の外側に設けられ、荷重がかかった位置を特定して圧力を検出する外側圧力検出装置８と、内側圧力検出装置７が圧力を検出した後、外側圧力検出装置８が圧力を検出した際に、外側圧力検出装置８により検出された圧力分布が内側圧力検出装置７により検出された圧力分布に一致した場合に、エレベーターに対して当該区画領域の階の呼びを登録する制御装置４と、を備えた。【選択図】図２
2020066522.tif 000002
【特許請求の範囲】
【請求項１】
少なくとも１つのエレベーターが設けられた建築物の区画領域の出入口に対して当該区画領域の内側に設けられ、荷重がかかった位置を特定して圧力を検出する内側圧力検出装置と、
当該区画領域の出入口に対して当該区画領域の外側に設けられ、荷重がかかった位置を特定して圧力を検出する外側圧力検出装置と、
前記内側圧力検出装置が圧力を検出した後、前記外側圧力検出装置が圧力を検出した際に、前記外側圧力検出装置により検出された圧力分布が前記内側圧力検出装置により検出された圧力分布に一致した場合に、前記エレベーターに対して当該区画領域の階の呼びを登録する制御装置と、
を備えたエレベーターシステム。
【請求項２】
前記制御装置は、前記外側圧力検出装置により検出された圧力分布が前記内側圧力検出装置により検出された圧力分布に一致した場合に、当該区画領域の出入口のドアが施錠されるまでは、前記エレベーターに対して当該区画領域の階の乗場呼びを登録しない請求項１に記載のエレベーターシステム。
【請求項３】
前記制御装置は、前記外側圧力検出装置により検出された圧力分布が前記内側圧力検出装置により検出された圧力分布に一致した後、前記内側圧力検出装置が圧力を検出した際に、当該圧力分布が前記外側圧力検出装置により検出された圧力分布に一致した場合に、前記エレベーターに対して当該区画領域の階の乗場呼びを登録しない請求項１に記載のエレベーターシステム。
【請求項４】
当該区画領域の階において前記エレベーターの乗場に設けられ、荷重がかかった位置を特定して圧力を検出する乗場側圧力検出装置、
を備え、
前記制御装置は、前記乗場側圧力検出装置が前記外側圧力検出装置により検出された圧力分布に一致した圧力を検出するまで、当該区画領域の階において前記エレベーターのかごを戸閉待機させる請求項１から請求項３のいずれか一項に記載のエレベーターシステム。
【請求項５】
前記エレベーターのかごに設けられ、荷重がかかった位置を特定して圧力を検出するかご側圧力検出装置、
を備え、
前記制御装置は、前記乗場側圧力検出装置が前記外側圧力検出装置により検出された圧力分布に一致した圧力を検出した際に、前記かごを戸開待機させ、前記かご側圧力検出装置が前記乗場側圧力検出装置により検出された圧力分布に一致した圧力を検出した場合に、前記エレベーターのかご呼びを登録する請求項４に記載のエレベーターシステム。
【請求項６】
前記制御装置は、前記エレベーターのかご呼びとして、前記かご側圧力検出装置により検出された圧力分布に対応した階のかご呼びを登録する請求項５に記載のエレベーターシステム。
【請求項７】
前記建築物の出入口の外側に設けられた出入口側圧力検出装置、
を備え、
前記制御装置は、前記出入口側圧力検出装置が圧力を検出した際に、前記エレベーターに対して前記建築物の出入口の階の乗場呼びを登録する請求項１から請求項６のいずれか一項に記載のエレベーターシステム。
【請求項８】
前記制御装置は、前記出入口側圧力検出装置が圧力を検出した際に、前記出入口側圧力検出装置により検出された圧力分布に対応した階のかご呼びを登録する請求項７に記載のエレベーターシステム。
【請求項９】
前記制御装置は、前記外側圧力検出装置により検出された圧力分布が前記内側圧力検出装置により検出された圧力分布に一致した際に、前記外側圧力検出装置により検出される圧力の位置の軌跡が前記エレベーターの方向とは異なる方向である場合に、前記エレベーターに対して当該区画領域の階の乗場呼びを登録しない請求項１から請求項８のいずれか一項に記載のエレベーターシステム。
【請求項１０】
前記制御装置は、当該区画領域が２つのエレベーターの間に設けられている建築物において、前記外側圧力検出装置により検出された圧力分布が前記内側圧力検出装置により検出された圧力分布に一致した際に、前記外側圧力検出装置により検出される圧力の位置の軌跡の方向にあるエレベーターに対して当該区画領域の階の乗場呼びを登録する請求項１に記載のエレベーターシステム。
【発明の詳細な説明】
【技術分野】
【０００１】
この発明は、エレベーターの呼びを自動で登録する機能を備えたエレベーターシステムに関する。
【背景技術】
【０００２】
特許文献１は、エレベーターシステムを開示する。当該エレベーターシステムによれば、オートロックの解錠とエレベーターの呼びの登録とが連動する。このため、エレベーターの利用者の利便性を向上し得る。
【先行技術文献】
【特許文献】
【０００３】
【特許文献１】特開２００３−２７６９５８号公報
【発明の概要】
【発明が解決しようとする課題】
【０００４】
しかしながら、特許文献１に記載のエレベーターシステムにおいては、利用者が建築物の内側の区画領域から建築物の外側に移動する際、エレベーターの呼びは自動登録されない。このため、利用者は、エレベーターの呼びを手動で登録することを要求される。
【０００５】
この発明は、上述の課題を解決するためになされた。この発明の目的は、利用者が建築物の内側の区画領域から建築物の外側に移動する際にエレベーターの呼びを自動で登録することができるエレベーターシステムを提供することである。
【課題を解決するための手段】
【０００６】
この発明に係るエレベーターシステムは、少なくとも１つのエレベーターが設けられた建築物の区画領域の出入口に対して当該区画領域の内側に設けられ、荷重がかかった位置を特定して圧力を検出する内側圧力検出装置と、当該区画領域の出入口に対して当該区画領域の外側に設けられ、荷重がかかった位置を特定して圧力を検出する外側圧力検出装置と、前記内側圧力検出装置が圧力を検出した後、前記外側圧力検出装置が圧力を検出した際に、前記外側圧力検出装置により検出された圧力分布が前記内側圧力検出装置により検出された圧力分布に一致した場合に、前記エレベーターに対して当該区画領域の階の呼びを登録する制御装置と、を備えた。
【発明の効果】
【０００７】
この発明によれば、制御装置は、外側圧力検出装置により検出された圧力分布が内側圧力検出装置により検出された圧力分布に一致した場合に、エレベーターに対して当該区画領域の階の呼びを登録する。このため、利用者が建築物の内側の区画領域から建築物の外側に移動する際にエレベーターの呼びを自動で登録することができる。
【図面の簡単な説明】
【０００８】
【図１】実施の形態１におけるエレベーターシステムが適用される建築物の構成図である。
【図２】実施の形態１におけるエレベーターシステムが適用される建築物の特定階の平面図である。
【図３】実施の形態１におけるエレベーターシステムが適用される建築物の出入口が存在する階の平面図である。
【図４】実施の形態１におけるエレベーターシステムの制御装置の動作の概要を説明するためのフローチャートである。
【図５】実施の形態１におけるエレベーターシステムの制御装置の動作の概要を説明するためのフローチャートである。
【図６】実施の形態１におけるエレベーターシステムの制御装置のハードウェア構成図である。
【図７】実施の形態２におけるエレベーターシステムが適用される建築物の構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターシステムが適用される建築物の構成図である。
【００１１】
図１のエレベーターシステムにおいて、昇降路１は、複数の区画領域Ａを備えた建築物の各階を貫く。複数の乗場２の各々は、建築物の各階に設けられる。複数の乗場２の各々は、昇降路１に対向する。かご３は、昇降路１の内部に設けられる。例えば、制御装置４は、昇降路１の内部に設けられる。制御装置４は、エレベーターシステムの動作を全体的に制御し得るように設けられる。
【００１２】
利用者は、エレベーターシステムを利用して建築物の出入口と複数の区画領域Ａの各々のとの間を行き来する。
【００１３】
次に、図２を用いて、区画領域Ａの階におけるエレベーターの呼びの登録方法を説明する。
図２は実施の形態１におけるエレベーターシステムが適用される建築物の特定階の平面図である。
【００１４】
図２に示されるように、複数のドア５は、区画領域Ａの出入口に設けられる。鍵６は、ドア５に設けられる。
【００１５】
内側圧力検出装置７は、区画領域Ａの内側の床面に設けられる。例えば、区画領域Ａが住居の場合、内側圧力検出装置７は、住居の玄関に設けられる。内側圧力検出装置７は、荷重がかかった位置を特定して圧力を検出し得るように設けられる。例えば、内側圧力検出装置７は、特開２０１８−１１８８４４号公報に記載されたかご操作盤と同様の機能を備えることで荷重がかかった位置を特定して圧力を検出し得るように設けられる。
【００１６】
外側圧力検出装置８は、区画領域Ａの外側の床面に設けられる。例えば、区画領域Ａが住居の場合、外側圧力検出装置８は、住居に通じる廊下に設けられる。外側圧力検出装置８は、荷重がかかった位置を特定して圧力を検出し得るように設けられる。例えば、外側圧力検出装置８は、特開２０１８−１１８８４４号公報に記載されたかご操作盤と同様の機能を備えることで荷重がかかった位置を特定して圧力を検出し得るように設けられる。
【００１７】
乗場側圧力検出装置９は、区画領域Ａの階において乗場２の床面に設けられる。乗場側圧力検出装置９は、荷重がかかった位置を特定して圧力を検出し得るように設けられる。例えば、乗場側圧力検出装置９は、特開２０１８−１１８８４４号公報に記載されたかご操作盤と同様の機能を備えることで荷重がかかった位置を特定して圧力を検出し得るように設けられる。
【００１８】
かご側圧力検出装置１０は、かご３の床面に設けられる。かご側圧力検出装置１０は、荷重がかかった位置を特定して圧力を検出し得るように設けられる。例えば、かご側圧力検出装置１０は、特開２０１８−１１８８４４号公報に記載されたかご操作盤と同様の機能を備えることで荷重がかかった位置を特定して圧力を検出し得るように設けられる。
【００１９】
例えば、制御装置４は、内側圧力検出装置７が圧力を検出した際に、圧力分布に基づいて利用者の足跡を認識する。個々人の足跡には、体重、足の大きさ、重心の位置等に関して固有の圧力のかかり具合がある。例えば、制御装置４は、認識した足跡の圧力分布に基づいて利用者を特定する。また、例えば、制御装置４は、足跡の圧力分布に加え、足跡に基づいた歩幅、足跡の向き、足跡の位置の変化の速度等に基づいて利用者を特定してもよい。
【００２０】
その後、外側圧力検出装置８が圧力を検出した際に、外側圧力検出装置８により検出された圧力分布が内側圧力検出装置７により検出された圧力分布に一致した場合に、制御装置４は、エレベーターに対して当該区画領域Ａの階の呼びを登録する。
【００２１】
この際、制御装置４は、当該区画領域Ａの出入口のドア５が施錠されるまでは、前記エレベーターに対して当該区画領域Ａの階の乗場呼びを登録しない。
【００２２】
また、内側圧力検出装置７が圧力を再び検出した際に、当該圧力分布が前記外側圧力検出装置８により検出された圧力分布に一致した場合に、制御装置４は、エレベーターに対して当該区画領域Ａの階の乗場呼びを登録しない。
【００２３】
制御装置４は、乗場側圧力検出装置９が前記外側圧力検出装置８により検出された圧力分布に一致した圧力を検出するまで、当該区画領域の階においてかご３を戸閉待機させる。
【００２４】
その後、乗場側圧力検出装置９が外側圧力検出装置８により検出された圧力分布に一致した圧力を検出した際に、制御装置４は、当該区画領域Ａの階においてかご３を戸開待機させる。制御装置４は、かご側圧力検出装置１０が乗場側圧力検出装置９により検出された圧力分布に一致した圧力を検出した場合に、エレベーターのかご呼びを登録する。
【００２５】
次に、図３を用いて、建築物の出入口が存在する階におけるエレベーターの呼びの登録方法を説明する。
図３は実施の形態１におけるエレベーターシステムが適用される建築物の出入口が存在する階の平面図である。
【００２６】
図３に示されるように、自動ドア１１は、建築物の出入口に設けられる。
【００２７】
出入口側圧力検出装置１２は、建築物の出入口の外側において床面に設けられる。出入口側圧力検出装置１２は、荷重がかかった位置を特定して圧力を検出し得るように設けられる。例えば、出入口側圧力検出装置１２は、特開２０１８−１１８８４４号公報に記載されたかご操作盤と同様の機能を備えることで荷重がかかった位置を特定して圧力を検出し得るように設けられる。
【００２８】
制御装置４は、出入口側圧力検出装置１２により検出された圧力に基づいて利用者を識別する。当該利用者が建築物の利用を許可された者である場合、制御装置４は、自動ドア１１を解錠する。この際、制御装置４は、エレベーターに対して建築物の出入口の階の乗場呼びを登録する。さらに、制御装置４は、エレベーターに対して当該利用者に対応した階のかご呼びを登録する。
【００２９】
次に、図４と図５とを用いて、制御装置４の動作の概要を説明する。
図４と図５とは実施の形態１におけるエレベーターシステムの制御装置の動作の概要を説明するためのフローチャートである。
【００３０】
ステップＳ１では、制御装置４は、内側圧力検出装置７が圧力を検出したか否かを判定する。ステップＳ１で内側圧力検出装置７が圧力を検出していない場合、制御装置４は、ステップＳ１の動作を行う。ステップＳ１で内側圧力検出装置７が圧力を検出した場合、制御装置４は、ステップＳ２の動作を行う。
【００３１】
ステップＳ２では、制御装置４は、外側圧力検出装置８が内側圧力検出装置７により検出された圧力分布に一致した圧力を検出したか否かを判定する。ステップＳ２で外側圧力検出装置８が内側圧力検出装置７により検出された圧力分布に一致した圧力を検出していない場合、制御装置４は、ステップＳ１の動作を行う。ステップＳ２で外側圧力検出装置８が内側圧力検出装置７により検出された圧力分布に一致した圧力を検出した場合、制御装置４は、ステップＳ３の動作を行う。
【００３２】
ステップＳ３では、制御装置４は、区画領域の出入口のドア５の鍵６に関する検出機能が存在するか否かを判定する。
【００３３】
ステップＳ３で区画領域の出入口のドア５の鍵６に関する検出機能が存在しない場合、制御装置４は、ステップＳ４の動作を行う。ステップＳ４では、制御装置４は、内側圧力検出装置７が外側圧力検出装置８により検出された圧力分布に一致した圧力を検出したか否かを判定する。ステップＳ４で内側圧力検出装置７が外側圧力検出装置８により検出された圧力分布に一致した圧力を検出した場合、制御装置４は、ステップＳ１の動作を行う。
【００３４】
ステップＳ３で区画領域の出入口のドア５の鍵６の検出機能が存在する場合、制御装置４は、ステップ５の動作を行う。ステップＳ５では、制御装置４は、区画領域の出入口のドア５が施錠されたか否かを判定する。ステップＳ５で区画領域の出入口のドア５が施錠されていない場合、制御装置４は、ステップＳ１の動作を行う。
【００３５】
ステップＳ４で内側圧力検出装置７が外側圧力検出装置８により検出された圧力分布に一致した圧力を検出しない場合またはステップＳ５で区画領域の出入口のドア５が施錠された場合、制御装置４は、ステップＳ６の動作を行う。ステップＳ６では、制御装置４は、外側圧力検出装置８が内側圧力検出装置７により検出された圧力分布に一致した圧力の検出を維持しているか否かを判定する。
【００３６】
ステップＳ６で外側圧力検出装置８が内側圧力検出装置７により検出された圧力分布に一致した圧力の検出を維持している場合、制御装置４は、ステップＳ６の動作を行う。ステップＳ６で外側圧力検出装置８が内側圧力検出装置７により検出された圧力分布に一致した圧力の検出を維持していない場合、制御装置４は、ステップＳ７の動作を行う。
【００３７】
ステップＳ７では、制御装置４は、エレベーターに対して当該区画領域の階の乗場呼びを登録する。その後、制御装置４は、ステップＳ８の動作を行う。ステップＳ８では、制御装置４は、当該乗場呼びにかご３を応答させる。
【００３８】
その後、制御装置４は、ステップＳ９の動作を行う。ステップＳ９では、制御装置４は、乗場側圧力検出装置９が当該区画領域の階の乗場２に設けられているか否かを判定する。
【００３９】
ステップＳ９で乗場側圧力検出装置９が当該区画領域の階の乗場２に設けられている場合、制御装置４は、ステップＳ１０の動作を行う。ステップＳ１０では、制御装置４は、当該区画領域の階でかご３を戸閉待機させる。その後、制御装置４は、ステップＳ１１の動作を行う。ステップＳ１１では、制御装置４は、乗場側圧力検出装置９が外側圧力検出装置８により検出された圧力分布に一致した圧力を検出したか否かを判定する。
【００４０】
ステップＳ１１で乗場側圧力検出装置９が外側圧力検出装置８により検出された圧力分布に一致した圧力を検出していない場合、制御装置４は、ステップＳ１２の動作を行う。ステップＳ１２では、かご３が当該区画領域の階で戸閉待機してから予め設定された期間が経過したか否かを判定する。
【００４１】
ステップＳ１２でかご３が当該区画領域の階で戸閉待機してから予め設定された期間が経過していない場合、制御装置４は、ステップＳ１１の動作を行う。
【００４２】
ステップＳ１１で乗場側圧力検出装置９が外側圧力検出装置８により検出された圧力分布に一致した圧力を検出した場合、制御装置４は、ステップＳ１３の動作を行う。ステップＳ１３では、制御装置４は、当該区画領域の階でかご３を戸開待機させる。その後、制御装置４は、ステップＳ１４の動作を行う。制御装置４は、かご側圧力検出装置１０がかご３に設けられているか否かを判定する。
【００４３】
ステップＳ１４でかご側圧力検出装置１０がかご３に設けられていない場合、制御装置４は、ステップＳ１５の動作を行う。ステップＳ１５では、制御装置４は、利用者による操作に応じたかご呼びを登録する。その後、制御装置４は、動作を終了する。
【００４４】
ステップＳ１４でかご側圧力検出装置１０がかご３に設けられている場合、制御装置４は、ステップＳ１６の動作を行う。ステップＳ１６では、制御装置４は、かご側圧力検出装置１０が乗場側圧力検出装置９により検出された圧力分布に一致した圧力を検出したか否かを判定する。
【００４５】
ステップＳ１６でかご側圧力検出装置１０が乗場側圧力検出装置９により検出された圧力分布に一致した圧力を検出していない場合、制御装置４は、ステップＳ１６の動作を行う。ステップＳ１６でかご側圧力検出装置１０が乗場側圧力検出装置９により検出された圧力分布に一致した圧力を検出した場合、制御装置４は、ステップＳ１７の動作を行う。
【００４６】
ステップＳ１７では、制御装置４は、かご呼びの自動登録が有効であるか否かを判定する。ステップＳ１７でかご呼びの自動登録が有効でない場合、制御装置４は、ステップＳ１５の動作を行う。ステップＳ１７でかご呼びの自動登録が有効である場合、制御装置４は、ステップＳ１８の動作を行う。
【００４７】
ステップＳ１８では、制御装置４は、建築物の出入口がある階のかご呼びを自動登録する。その後、制御装置４は、動作を終了する。
【００４８】
ステップＳ１２でかご３が当該区画領域の階で戸閉待機してから予め設定された期間が経過した場合、制御装置４は、ステップＳ１９の動作を行う。ステップＳ１９では、制御装置４は、他の階の乗場呼びが存在するか否かを判定する。
【００４９】
ステップＳ１９で他の階の乗場呼びが存在しない場合、制御装置４は、ステップＳ２０の動作を行う。ステップＳ２０では、制御装置４は、かご３が当該区画領域の階で戸閉待機した状態を維持する。その後、制御装置４は、動作を終了する。
【００５０】
ステップＳ１９で他の階の乗場呼びが存在する場合、制御装置４は、ステップＳ２１の動作を行う。ステップＳ２１では、制御装置４は、他の階の乗場呼びにかご３を応答させる。その後、制御装置４は、動作を終了する。
【００５１】
以上で説明した実施の形態１によれば、制御装置４は、外側圧力検出装置８により検出された圧力分布が内側圧力検出装置７により検出された圧力分布に一致した場合に、エレベーターに対して当該区画領域の階の呼びを登録する。このため、利用者が建築物の内側の区画領域から建築物の外側に移動する際にエレベーターの呼びを自動で登録することができる。その結果、利用者が乗場２においてかご３を長時間待ち続けることを抑制できる。
【００５２】
また、制御装置４は、外側圧力検出装置８により検出された圧力分布が内側圧力検出装置７により検出された圧力分布に一致した場合に、当該区画領域の出入口のドア５が施錠されるまでは、エレベーターに対して当該区画領域の階の乗場呼びを登録しない。このため、乗場呼びが無用に登録されることを抑制できる。
【００５３】
また、制御装置４は、外側圧力検出装置８により検出された圧力分布が内側圧力検出装置７により検出された分布に一致した後、内側圧力検出装置７が圧力を検出した際に、当該圧力分布が外側圧力検出装置８により検出された圧力分布に一致した場合に、エレベーターに対して当該区画領域の階の乗場呼びを登録しない。このため、乗場呼びが無用に登録されることを抑制できる。
【００５４】
また、制御装置４は、乗場側圧力検出装置９が外側圧力検出装置８により検出された圧力分布に一致した圧力を検出するまで、当該区画領域の階においてかご３を戸閉待機させる。このため、該当する利用者以外の利用者がかご３に乗ってかご呼びを登録することを抑制できる。
【００５５】
また、制御装置４は、乗場側圧力検出装置９が外側圧力検出装置８により検出された圧力分布に一致した圧力を検出した際に、かご３を戸開待機させる。その後、制御装置４は、かご側圧力検出装置１０が乗場側圧力検出装置９により検出された圧力分布に一致した圧力を検出した場合に、エレベーターのかご呼びを登録する。このため、該当する利用者に合わせて、かご３を円滑に移動させることができる。
【００５６】
なお、エレベーターのかご呼びとして、かご側圧力検出装置１０により検出された圧力分布に対応した階のかご呼びを登録してもよい。この場合、利用者に適したかご呼びを登録することができる。その結果、利用者を適切な階に円滑に移動させることができる。
【００５７】
また、エレベーターのかご呼びとして、出入口側圧力検出装置１２により検出された圧力分布に対応した階のかご呼びを登録してもよい。この場合、利用者に適したかご呼びを登録することができる。その結果、利用者を適切な階に円滑に移動させることができる。
【００５８】
また、外側圧力検出装置８により検出された圧力分布が内側圧力検出装置７により検出された圧力分布に一致した際に、外側圧力検出装置８により検出される圧力の位置の軌跡がエレベーターの方向とは異なる方向である場合に、エレベーターに対して当該区画領域の階の乗場呼びを登録しなくてもよい。この場合、乗場呼びが無用に登録されることを抑制できる。
【００５９】
なお、特開２０１６−３７３６６号公報に記載された方法において、かご３を戸開待機させてもよい。
【００６０】
また、利用者のかご３への乗り込みを光電装置等に認識して、かご呼びを登録してもよい。
【００６１】
また、同一階の他の区画領域の外側圧力検出装置８による圧力の検出結果または同一階の廊下に設けられた圧力検出装置による圧力の検出結果に基づいて、利用者の移動を認識してもよい。例えば、利用者が他の利用者に回覧板を回しただけの場合、当該利用者は、他の区画領域の外側圧力検出装置８の上に留まる。この場合、乗場呼びを登録しなければよい。
【００６２】
次に、図６を用いて、制御装置４の例を説明する。
図６は実施の形態１におけるエレベーターシステムの制御装置のハードウェア構成図である。
【００６３】
制御装置４の各機能は、処理回路により実現し得る。例えば、処理回路は、少なくとも１つのプロセッサ１３ａと少なくとも１つのメモリ１３ｂとを備える。例えば、処理回路は、少なくとも１つの専用のハードウェア１４を備える。
【００６４】
処理回路が少なくとも１つのプロセッサ１３ａと少なくとも１つのメモリ１３ｂとを備える場合、制御装置４の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１３ｂに格納される。少なくとも１つのプロセッサ１３ａは、少なくとも１つのメモリ１３ｂに記憶されたプログラムを読み出して実行することにより、制御装置４の各機能を実現する。少なくとも１つのプロセッサ１３ａは、中央処理装置、処理装置、演算装置、マイクロプロセッサ、マイクロコンピュータ、ＤＳＰともいう。例えば、少なくとも１つのメモリ１３ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６５】
処理回路が少なくとも１つの専用のハードウェア１４を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、制御装置４の各機能は、それぞれ処理回路で実現される。例えば、制御装置４の各機能は、まとめて処理回路で実現される。
【００６６】
制御装置４の各機能について、一部を専用のハードウェア１４で実現し、他部をソフトウェアまたはファームウェアで実現してもよい。例えば、かご３を移動させる機能については専用のハードウェア１４としての処理回路で実現し、かご３を移動させる機能以外の機能については少なくとも１つのプロセッサ１３ａが少なくとも１つのメモリ１３ｂに格納されたプログラムを読み出して実行することにより実現してもよい。
【００６７】
このように、処理回路は、ハードウェア１４、ソフトウェア、ファームウェア、またはこれらの組み合わせで制御装置４の各機能を実現する。
【００６８】
実施の形態２．
図７は実施の形態１におけるエレベーターシステムが適用される建築物の構成図である。なお、実施の形態１の部分と同一又は相当部分には同一符号が付される。当該部分の説明は省略される。
【００６９】
実施の形態２において、２つのエレベーターのうちの一方は、建築物の一側に設けられる。２つのエレベーターのうちの他方は、建築物の他側に設けられる。複数の区画領域Ａは、２つのエレベーターの間に設けられる。
【００７０】
制御装置４は、外側圧力検出装置８により検出された圧力の分布が内側圧力検出装置７により検出された圧力分布に一致した際に、外側圧力検出装置８により検出される圧力の位置の軌跡の方向にあるエレベーターに対して当該区画領域Ａの階の乗場呼びを登録する。
【００７１】
以上で説明した実施の形態２によれば、制御装置４は、外側圧力検出装置８により検出される圧力の位置の軌跡の方向にあるエレベーターに対して当該区画領域の階の乗場呼びを登録する。このため、利用者が建築物の内側の区画領域から建築物の外側に移動する際に適切なエレベーターに対して適切な呼びを自動で登録することができる。
【符号の説明】
【００７２】
１  昇降路、  ２  乗場、  ３  かご、  ４  制御装置、  ５  ドア、  ６  鍵、  ７  内側圧力検出装置、  ８  外側圧力検出装置、  ９  乗場側圧力検出装置、  １０  かご側圧力検出装置、  １１  自動ドア、  １２  出入口側圧力検出装置、  １３ａ  プロセッサ、  １３ｂ  メモリ、  １４  ハードウェア
【図１】
2020066522.tif 000003
【図２】
2020066522.tif 000004
【図３】
2020066522.tif 000005
【図４】
2020066522.tif 000006
【図５】
2020066522.tif 000007
【図６】
2020066522.tif 000008
【図７】
2020066522.tif 000009